(57)【要約】【課題】上面に貯まる雨量の量を少なくし、大きさを抑えられる被覆ユニット等を提供する。【解決手段】被覆ユニット１は、浮力を有する浮力体１１と、浮力体１１の上方を覆うように設けられる被覆部材１２と、被覆部材１２の上面１２ａから、浮力体１１の下面１１ａにかけて貫通する貫通孔１３と、貫通孔１３を介して、浮力体１１と被覆部材１２とを固定すると共に、被覆部材１２の上面１２ａから、浮力体１１の下面１１ａにかけて連通する連通経路Ｔを有する固定具１４とを備える。又、浮力体１１は、少なくとも被覆部材１２の上面１２ａを水上に浮上させる浮力を有している。このように構成すると、被覆ユニットの上面に貯まった雨水を、被覆ユニットの下面に通過させることができる。【選択図】  図２
2018048540.tif 000002
【特許請求の範囲】
【請求項１】
浮力を有する浮力体と、
前記浮力体の上方を覆うように設けられる被覆部材と、
前記被覆部材の上面から、前記浮力体の下面にかけて貫通する貫通孔と、
前記貫通孔を介して、前記浮力体と前記被覆部材とを固定すると共に、前記被覆部材の上面から、前記浮力体の下面にかけて連通する連通経路を有する固定具とを備え、
前記浮力体は、少なくとも前記被覆部材の上面を水上に浮上させる浮力を有している、被覆ユニット。
【請求項２】
前記被覆部材は、ゴムシート体を含む、請求項１記載の被覆ユニット。
【請求項３】
前記被覆部材のゴムシート体には、繊維シート体が埋設されている、請求項２記載の被覆ユニット。
【請求項４】
浮力を有する浮力体と、
前記浮力体の上方を覆うように設けられる第１被覆部材と、
前記浮力体の下方に設けられる第２被覆部材と、
前記第１被覆部材の上面、前記浮力体及び前記第２被覆部材の下面にかけて貫通する貫通孔と、
前記貫通孔を介して、前記第１被覆部材、前記浮力体及び前記第２被覆部材を固定する共に、前記第１被覆部材の上面、前記浮力体及び前記第２被覆部材の下面にかけて連通する連通経路を有する固定具とを備え、
前記浮力体は、少なくとも前記第１被覆部材の上面を水上に浮上させる浮力を有している、被覆ユニット。
【請求項５】
前記第１被覆部材及び前記第２被覆部材は、ゴムシート体を含む、請求項４記載の被覆ユニット。
【請求項６】
前記第１被覆部材及び前記第２被覆部材のゴムシート体には、繊維シート体が埋設されている、請求項５記載の被覆ユニット。
【請求項７】
前記第１被覆部材及び前記第２被覆部材は、端部において互いに固定されている、請求項４から請求項６のいずれかに記載の被覆ユニット。
【請求項８】
前記浮力体は、板状の形状に形成されている、請求項１から請求項７のいずれかに記載の被覆ユニット。
【請求項９】
貯水施設の水面を覆う被覆構造体であって、
請求項１から請求項８のいずれかに記載の複数の被覆ユニットと、
前記複数の被覆ユニット同士を連結するための連結具とを備える、被覆構造体。
【請求項１０】
請求項１記載の被覆ユニットの被覆部材の形成方法であって、
前記浮力体の上方を覆うようにポリウレタンを塗布した後、硬化させることで前記被覆部材を形成する工程を含む、被覆ユニットの被覆部材の形成方法。
【請求項１１】
請求項４記載の被覆ユニットの被覆部材の形成方法であって、
前記浮力体の上方を覆うようにポリウレタンを塗布した後、硬化させることで前記第１被覆部材を形成する工程、及び、前記浮力体の下方を覆うようにポリウレタンを塗布した後、硬化させることで前記第２被覆部材を形成する工程の少なくとも一方を含む、被覆ユニットの被覆部材の形成方法。
【発明の詳細な説明】
【技術分野】
【０００１】
この発明は被覆ユニット及び被覆構造体並びに被覆ユニットの被覆部材の形成方法に関し、特に、農業用水や工業用水等の貯水施設の水面を被覆する被覆ユニット及びこれから構成される貯水施設の被覆構造体並びに被覆ユニットの被覆部材の形成方法に関するものである。
【背景技術】
【０００２】
貯水施設においては、落ち葉や粉塵等による水質汚染、更にはアオコ等の藻の発生を抑制し、又、用水の蒸発を防ぐと共に取水、散水設備の目詰まり等を防ぐ等の目的から上面を覆うことが行われている（例えば、特許文献１〜３）。
【０００３】
このような被覆構造の従来の技術として、水面に扁平な浮力体を浮かべ、浮力体各々を連結する方法が提案されている（特許文献１）。
【先行技術文献】
【特許文献】
【０００４】
【特許文献１】特開２００１−１９０８７号公報
【特許文献２】特開２００７−７７６６９号公報
【特許文献３】特開２００７−７７６７０号公報
【発明の概要】
【発明が解決しようとする課題】
【０００５】
しかしながら、上述した従来の技術では、浮力体上面に雨水が貯まることがあるため、雨水の重量を見込んで浮力体を大きくし得られる浮力を大きくする必要があった。
【０００６】
この発明は、上記のような課題を解決するためになされたもので、上面に貯まる雨量の量を少なくし、大きさを抑えられる被覆ユニット及び被覆構造体並びに被覆ユニットの被覆部材の形成方法を提供することを目的とする。
【課題を解決するための手段】
【０００７】
上記の目的を達成するために、請求項１記載の発明は、浮力を有する浮力体と、浮力体の上方を覆うように設けられる被覆部材と、被覆部材の上面から、浮力体の下面にかけて貫通する貫通孔と、貫通孔を介して、浮力体と被覆部材とを固定すると共に、被覆部材の上面から、浮力体の下面にかけて連通する連通経路を有する固定具とを備え、浮力体は、少なくとも被覆部材の上面を水上に浮上させる浮力を有しているものである。
【０００８】
このように構成すると、被覆ユニットの上面に貯まった雨水を、被覆ユニットの下面に通過させることができる。
【０００９】
請求項２記載の発明は、請求項１記載の発明の構成において、被覆部材は、ゴムシート体を含むものである。
【００１０】
このように構成すると、弾力を有する被覆部材が得られる。
【００１１】
請求項３記載の発明は、請求項２記載の発明の構成において、被覆部材のゴムシート体には、繊維シート体が埋設されているものである。
【００１２】
このように構成すると、被覆部材の強度が増す。
【００１３】
請求項４記載の発明は、浮力を有する浮力体と、浮力体の上方を覆うように設けられる第１被覆部材と、浮力体の下方に設けられる第２被覆部材と、第１被覆部材の上面、浮力体及び第２被覆部材の下面にかけて貫通する貫通孔と、貫通孔を介して、第１被覆部材、浮力体及び第２被覆部材を固定する共に、第１被覆部材の上面、浮力体及び第２被覆部材の下面にかけて連通する連通経路を有する固定具とを備え、浮力体は、少なくとも第１被覆部材の上面を水上に浮上させる浮力を有しているものである。
【００１４】
このように構成すると、被覆ユニットの上面に貯まった雨水を、被覆ユニットの下面に通過させることができる。
【００１５】
請求項５記載の発明は、請求項４記載の発明の構成において、第１被覆部材及び第２被覆部材は、ゴムシート体を含むものである。
【００１６】
このように構成すると、弾力を有する被覆部材が得られる。
【００１７】
請求項６記載の発明は、請求項５記載の発明の構成において、第１被覆部材及び第２被覆部材のゴムシート体には、繊維シート体が埋設されているものである。
【００１８】
このように構成すると、被覆部材の強度が増す。
【００１９】
請求項７記載の発明は、請求項４から請求項６のいずれかに記載の発明の構成において、第１被覆部材及び第２被覆部材は、端部において互いに固定されているものである。
【００２０】
このように構成すると、浮力体への第１被覆部材及び第２被覆部材の取り付けが安定する。
【００２１】
請求項８記載の発明は、請求項１から請求項７のいずれかに記載の発明の構成において、浮力体は、板状の形状に形成されているものである。
【００２２】
このように構成すると、被覆ユニットがパネル状に形成される。
【００２３】
請求項９記載の発明は、請求項１から請求項８のいずれかに記載の発明の構成において、貯水施設の水面を覆う被覆構造体であって、請求項１から請求項８のいずれかに記載の複数の被覆ユニットと、複数の被覆ユニット同士を連結するための連結具とを備えるものである。
【００２４】
このように構成すると、被覆ユニット同士が互いに連結された被覆構造体が得られる。
【００２５】
請求項１０記載の発明は、請求項１記載の被覆ユニットの被覆部材の形成方法であって、浮力体の上方を覆うようにポリウレタンを塗布した後、硬化させることで被覆部材を形成する工程を含むものである。
【００２６】
このように構成すると、浮力体の形状に応じて、被覆部材を形成することが容易となる。
【００２７】
請求項１１記載の発明は、請求項４記載の被覆ユニットの被覆部材の形成方法であって、浮力体の上方を覆うようにポリウレタンを塗布した後、硬化させることで第１被覆部材を形成する工程、及び、浮力体の下方を覆うようにポリウレタンを塗布した後、硬化させることで第２被覆部材を形成する工程の少なくとも一方を含むものである。
【００２８】
このように構成すると、浮力体の形状に応じて、被覆部材を形成することが容易となる。
【発明の効果】
【００２９】
以上説明したように、請求項１記載の発明は、被覆ユニットの上面に貯まった雨水を、被覆ユニットの下面に通過させることができるため、浮力体のサイズを小さく抑えることができる。
【００３０】
請求項２記載の発明は、請求項１記載の発明の効果に加えて、弾力を有する被覆部材が得られるため、被覆ユニットを並べて設置する場合における緩衝効果が得られる。
【００３１】
請求項３記載の発明は、請求項２記載の発明の効果に加えて、被覆部材の強度が増すので、被覆ユニットの耐久性が向上する。
【００３２】
請求項４記載の発明は、被覆ユニットの上面に貯まった雨水を、被覆ユニットの下面に通過させることができるため、浮力体のサイズを小さく抑えることができる。
【００３３】
請求項５記載の発明は、請求項４記載の発明の効果に加えて、弾力を有する被覆部材が得られるため、被覆ユニットを並べて設置する場合における緩衝効果が得られる。
【００３４】
請求項６記載の発明は、請求項５記載の発明の効果に加えて、被覆部材の強度が増すので、被覆ユニットの耐久性が向上する。
【００３５】
請求項７記載の発明は、請求項４から請求項６のいずれかに記載の発明の効果に加えて、浮力体への第１被覆部材及び第２被覆部材の取り付けが安定するので、被覆ユニットの形状が安定する。
【００３６】
請求項８記載の発明は、請求項１から請求項７のいずれかに記載の発明の効果に加えて、被覆ユニットがパネル状に形成されるため、水面の被覆に適した形状となる。
【００３７】
請求項９記載の発明は、請求項１から請求項８のいずれかに記載の発明の効果に加えて、被覆ユニット同士が互いに連結された被覆構造体が得られるため、被覆ユニットがバラバラになることを防ぎ、効率よく水面を被覆することができる。
【００３８】
請求項１０記載の発明は、請求項１記載の発明の効果に加えて、浮力体の形状に応じて、被覆部材を形成することが容易となるので、製造の効率化を図ることができる。
【００３９】
請求項１１記載の発明は、請求項４記載の発明の効果に加えて、浮力体の形状に応じて、被覆部材を形成することが容易となるので、製造の効率化を図ることができる。
【図面の簡単な説明】
【００４０】
【図１】この発明の第１の実施の形態による被覆ユニットの外観を示す平面図である。
【図２】図１に示したＩＩ−ＩＩラインにおける概略拡大端面図である。
【図３】この発明の第２の実施の形態による被覆構造体の概略断面図である。
【図４】図３に示したＸ部分の拡大図である。
【図５】この発明の第３の実施の形態による被覆ユニットの平面図であり図１に対応するものである。
【図６】この発明の第４の実施の形態による被覆ユニットの平面図であり図１に対応するものである。
【図７】図６に示したＶＩＩ−ＶＩＩラインにおける概略拡大端面図である。
【図８】この発明の第５の実施の形態による被覆ユニットの端面図であり図２に対応するものである。
【発明を実施するための形態】
【００４１】
図１は、この発明の第１の実施の形態による被覆ユニットの外観を示す平面図であり、図２は、図１に示したＩＩ−ＩＩラインにおける概略拡大端面図である。
【００４２】
被覆ユニット１は、浮力を有する浮力体１１と、浮力体１１の上方を覆うように設けられる被覆部材１２と、被覆部材１２の上面１２ａから、浮力体１１の下面１１ａにかけて貫通する貫通孔１３と、貫通孔１３を介して、浮力体１１と被覆部材１２とを固定する固定具１４とを備える。
【００４３】
浮力体１１は、矩形の板状に形成された発泡ウレタンからなり、少なくとも被覆部材１２の上面１２ａを水上（すなわち、水面Ｌよりも上方）に浮上させる浮力を有している。
【００４４】
被覆部材１２は、矩形形状に形成され、繊維シート体２２が埋設されているゴムシート体を含む構成である。又、被覆部材１２のサイズは、平面視において浮力体１１のサイズよりも一回り大きく設定されている。
【００４５】
固定具１４は、被覆部材１２の上面１２ａ側に配置される上面フランジ部４１と、上面フランジ部４１に接続され、貫通孔１３に挿入される円筒形状の筒状部４２と、筒状部４２に接続され、浮力体１１の下面１１ａ側に配置される下面フランジ部４３とを備える構成である。筒状部４２は、被覆部材１２の上面１２ａから浮力体１１の下面１１ａにかけて連通しているため、被覆部材１２の上面１２ａから、浮力体１１の下面１１ａにかけて連通する連通経路Ｔが形成される。
【００４６】
浮力体１１及び被覆部材１２は、固定具１４の上面フランジ部４１及び下面フランジ部４３の間に、挟み込まれており、これにより浮力体１１及び被覆部材１２は固定されている。
【００４７】
このように構成すると、被覆ユニットの上面に貯まった雨水を、連通経路Ｔを通じて、被覆ユニットの下面に通過させることができるため、被覆ユニットの上方に雨水が貯まるのを抑制することができ、これにより浮力体のサイズを小さく抑えることができる。
【００４８】
図３は、この発明の第２の実施の形態による被覆構造体の概略断面図であり、図４は、図３に示したＸ部分の拡大図である。
【００４９】
尚、説明に当たっては、基本的には第１の実施の形態によるものと同一であるため、その相違点を中心に説明する。
【００５０】
これらの図を参照して、この実施の形態による被覆構造体５０は、複数の被覆ユニットが連結されてなる。尚、以下では説明のため、それぞれの被覆ユニットを区別するために符号において“Ａ”及び“Ｂ”の符号を付すこととするが、被覆ユニット１Ａ及び被覆ユニット１Ｂは、それぞれ、以下に説明する以外は、基本的には第１の実施の形態による被覆ユニット１と同様の構成を備えるものである。
【００５１】
具体的には、被覆構造体５０は、貯水施設の周囲の岸壁５に対し、係留索８を介して係留される被覆ユニット１Ａと、被覆ユニット１Ａに隣接し、被覆ユニット１Ａに対して、連結具６０によって連結される被覆ユニット１Ｂとを含む構成である。
【００５２】
連結具６０は、縄や金属ワイヤー等の紐状の部材である。
【００５３】
被覆ユニット１Ａの被覆部材１２Ａには、被覆ユニット１Ｂが配置されている側において、連結孔２５Ａが設けられている。一方、被覆ユニット１Ｂの被覆部材１２Ｂには、被覆ユニット１Ａが配置されている側において、連結孔２５Ｂが設けられている。
【００５４】
被覆ユニット１Ａの連結孔２５Ａと被覆ユニット１Ｂの連結孔２５Ｂとに、連結具６０が、挿入され繋ぎ合わされており、これにより、被覆ユニット１Ａと被覆ユニット１Ｂとが互いに連結されている。
【００５５】
このように構成すると、被覆ユニット同士が互いに連結された被覆構造体５０が得られるため、被覆ユニットがバラバラになることを防ぎ、効率よく水面を被覆することができる。
【００５６】
又、それぞれの被覆ユニットは、浮力体が板状の形状に形成されているので、パネル状に形成され、これにより、水面の被覆に適した形状となる。
【００５７】
又、それぞれの被覆ユニットにおいて、被覆部材は、ゴムシート体を含むため、弾力を有する。これにより弾力を有する被覆部材が得られるため、被覆ユニットを並べて設置する場合、被覆ユニット同士が衝突しても緩衝効果が得られる。
【００５８】
図５は、この発明の第３の実施の形態による被覆ユニットの平面図であり図１に対応するものである。
【００５９】
尚、説明に当たっては、基本的には第１の実施の形態によるものと同一であるため、その相違点を中心に説明する。
【００６０】
同図を参照して、この実施の形態による被覆ユニット１は、固定具４５及び固定具４６により、それぞれ連通経路Ｔ１１及び連通経路Ｔ１２が形成されている。
【００６１】
このように構成すると、被覆ユニット１の上面に貯まった雨水を、２つの連通経路Ｔを通じて、より効率的に被覆ユニット１の下面に通過させることができる。
【００６２】
図６は、この発明の第４の実施の形態による被覆ユニットの平面図であり図１に対応するものであり、図７は、図６に示したＶＩＩ−ＶＩＩラインにおける概略拡大端面図である。
【００６３】
尚、説明に当たっては、基本的には第１の実施の形態によるものと同一であるため、その相違点を中心に説明する。
【００６４】
これらの図を参照して、この実施の形態による被覆ユニット１は、第１の実施の形態の浮力体１１の下方を覆うように第２被覆部材６２が設けられている。
【００６５】
具体的には、被覆ユニット１は、浮力を有する浮力体１１と、浮力体１１の上方を覆うように設けられる第１被覆部材６１と、浮力体１１の下方に設けられる第２被覆部材６２と、第１被覆部材６１の上面６１ｃ、浮力体１１及び第２被覆部材６２の下面６２ｃにかけて貫通する貫通孔１３と、貫通孔１３を介して、第１被覆部材６１、浮力体１１及び第２被覆部材６２を固定する共に、第１被覆部材６１の上面６１ｃ、浮力体１１及び第２被覆部材６２の下面６２ｃにかけて連通する連通経路Ｔを有する固定具１４とを備え、浮力体１１は、少なくとも第１被覆部材６１の上面６１ｃを水上に浮上させる浮力を有している。
【００６６】
ここで、第１被覆部材６１及び第２被覆部材６２は、第１の実施の形態における被覆部材１２と同等の構成を有する。すなわち、第１被覆部材６１及び第２被覆部材６２は、それぞれ、ゴムシート体を含み、ゴムシート体には、繊維シート体６１ｄ、６２ｄが埋設されている。
【００６７】
以上より、第１の実施の形態で説明した被覆ユニットと同様の作用効果を奏することができる。
【００６８】
又、第１被覆部材６１の一方端部６１ａ及び第２被覆部材６２の一方端部６２ａは、接着剤により互いに固定されている。又、同様に、第１被覆部材６１の他方端部６１ｂ及び第２被覆部材６２の他方端部６２ｂについても、接着剤により互いに固定されている。
【００６９】
このように構成すると、浮力体１１への第１被覆部材６１及び第２被覆部材６２の取り付けが安定するので、被覆ユニット１の形状が安定する。
【００７０】
尚、上記の各実施の形態では、特定の形状・寸法関係を有する被覆ユニットについて説明したが、これに限られない。例えば、浮力体は、板状形状でなくてもよく、ブロック形状を有していてもよい。又、被覆部材のサイズは、平面視において浮力体のサイズよりも一回り大きく設定されていることを説明したが、これに限られない。被覆部材のサイズは、浮力体と同サイズに設定されていてもよい。又、被覆部材のサイズは、矩形形状の短辺及び長辺のいずれか一方において、浮力体と同サイズに設定されていてもよい。又、浮力体及び被覆部材は、平面視において、正方形形状を有していてもよい。
【００７１】
又、上記の各実施の形態では、浮力体は発泡ウレタンからなることを説明したが、これに限られない。浮力体は、発泡スチロール等の発泡樹脂体や気体を封入したゴム製や合成樹脂製の扁平風船体等により構成することができる。浮力体としては、少なくとも被覆部材の上面を水上に浮上させる浮力を有していれば、任意の物を採用することができる。又、浮力体は、複合的な部材であってもよく、例えば、独立気泡による発泡体の下部に連続気泡による発泡体を一体に取り付けた構造を有していてもよい。
【００７２】
更に、上記の各実施の形態では、被覆部材に含まれるゴムシート体に繊維シート体が埋設されている構成について説明したが、これに限られず、繊維シート体を省略することも可能である。尚、被覆部材に含まれるゴムシート体に、繊維シート体が埋設されている場合、被覆部材の強度が増すので、被覆ユニットの耐久性が向上する。又、被覆部材は、ゴムシート体の一方面に繊維シート体が貼り合わされた二層構造を有していてもよいし、繊維シート体の両面にゴムシート体を貼り合わせた三層構造を有していてもよい。
【００７３】
更に、上記の第１の実施の形態では、固定具が、特定の構造を有することについて説明したがこれに限られない。固定具は、浮力体及び被覆部材同士を固定できるものであり、連通経路を有するものであれば、任意の構造を採用することができる。上記第４の実施の形態における固定具についても同様に、第１被覆部材、浮力体及び第２被覆部材同士を固定でき連通経路を有するものであればよい。又、浮力体及び被覆部材は、更に、接着剤等により接合されていてもよい。
【００７４】
更に、上記の各実施の形態では、特に説明しなかったが、固定具は、一つの部材から構成されていてもよいし、２つ以上の部材から構成されていてもよい。例えば、上面フランジ部、筒状部、下面フランジ部が、それぞれ別部材に構成されており、被覆ユニットへの取り付け時に、それぞれが組み合わされて一体となる構成であってもよい。又、筒状部により、平面視円形の管状の連通経路Ｔが形成されていたが、これに限られない。流通経路Ｔは、一つ以上の貫通孔により形成されていてもよく、又、その断面形状も任意の形状を採用することができる。
【００７５】
更に、上記の第２の実施の形態では、連結具として紐状の部材を、一方の被覆ユニットの連結孔と、隣接する他方の被覆ユニットの連結孔とに挿入し結び合わせることで、被覆ユニット同士を連結していたが、これに限られない。被覆ユニット同士を、金具等を用いて連結してもかまわない。又、連結具を、連結孔ではなく、一方の被覆ユニットの連通経路と、隣接する他方の被覆ユニットの連通口とに挿入し結び合わせることで、被覆ユニット同士を連結してもよい。このように、連通口が、上述した連結孔の機能を兼ねてもよい。
【００７６】
更に、上記の第３の実施の形態では、２つの連通経路を備える被覆ユニットについて説明したが、これに限られない。被覆ユニットは、３つ以上の連通経路を備えていてもよい。又、その連通経路を設ける位置についても特に限定はない。又、第４の実施の形態による被覆ユニットにおいて、複数の連通経路を形成してもよい。
【００７７】
更に、上記の第４の実施の形態では、第１被覆部材及び第２被覆部材は、端部において接着剤により互いに固定されていることを説明したが、これに限られない。端部同士の固定は接着剤によらなくてもよく、金具によって固定してもよい。又、第１被覆部材及び第２被覆部材の端部は固定されていなくても構わない。
【００７８】
更に、上記の第１実施の形態から第３の実施の形態では、被覆部材が、ゴムシートを含む構成であることを説明したが、これに限られない。被覆部材は、ポリ塩化ビニル（ＰＶＣ）シートや、ポリウレタンシートなど、遮水性や対候性を有するものを含む構成であってもよい。上記の第４の実施の形態においても、第１被覆部材及び第２被覆部材の少なくとも一方が、ＰＶＣシートや、ポリウレタンシートを含む構成であってもよい。
【００７９】
更に、上記の各実施の形態では特に説明しなかったが、被覆ユニットの被覆部材の取付方法及び形成方法に特に制限はない。例えば、浮力体の上面にポリウレタンを塗布した後、硬化させることで被覆部材を形成してもよい。又、このように被覆部材を形成する場合、貫通孔及び固定具の取り付けは、被覆部材の形成前であっても形成後であってもよい。このようなポリウレタン被膜による被覆部材の形成方法によれば、浮力体の形状に応じて、被覆部材を形成することが容易となる。よって、製造の効率化を図ることができる。又、上記の第４の実施の形態において、第１被覆部材及び第２被覆部材の少なくとも一方を、上述の通り、ポリウレタンを塗布した後、硬化させて形成しても構わない。即ち、上記浮力体の上方を覆うようにポリウレタンを塗布した後、硬化させることで上記第１被覆部材を形成する工程を含んでいてもよい。又、浮力体の下方を覆うようにポリウレタンを塗布した後、硬化させることで第２被覆部材を形成する工程を含んでいてもよい。このように構成すると、浮力体の形状に応じて、被覆部材を形成することが容易となる。よって、製造の効率化を図ることができる。
【００８０】
図８は、この発明の第５の実施の形態による被覆ユニットの端面図であり図２に対応するものである。
【００８１】
尚、説明に当たっては、基本的には第１の実施の形態によるものと同一であるため、その相違点を中心に説明する。
【００８２】
同図を参照して、この実施の形態による被覆ユニット１では、被覆ユニットの上面（すなわち、被覆部材１２の上面１２ａ）が、被覆ユニット１の周囲から、貫通孔１３が設けられている中央部にかけて傾斜している。より具体的には、被覆ユニット１は、その断面が下方に凹んだ凹形状に形成される浮力体１１と、浮力体１１の上面において略同様の厚みに形成される被覆部材１２とを備える。
【００８３】
このように構成すると、被覆ユニット１全体の断面が下方に凹んだ凹形状となり、これによって貫通孔１３付近が、被覆ユニットの上面において最も低くなるので、同図において実線矢印が示す方向に、雨水が斜面を伝って貫通孔１３に流れ込みやすくなる。よって、雨水が被覆ユニットの上面に貯まることを防ぐことができる。
【符号の説明】
【００８４】
１…被覆ユニット
１１…浮力体
１２…被覆部材
１３…貫通孔
１４…固定具
２２…繊維シート体
２５Ａ、２５Ｂ…連結孔
６１…第１被覆部材
６２…第２被覆部材
尚、各図中同一符号は同一又は相当部分を示す。
【図１】
2018048540.tif 000003
【図２】
2018048540.tif 000004
【図３】
2018048540.tif 000005
【図４】
2018048540.tif 000006
【図５】
2018048540.tif 000007
【図６】
2018048540.tif 000008
【図７】
2018048540.tif 000009
【図８】
2018048540.tif 000010